(57)【要約】【課題】客の点検履歴を確認でき、未点検月、未点検項目等を早期に知り得て、点検実施を促進し、結果としてサービスの向上と売り上げ成果の向上を期待し得る車点検用シートを提供する  【解決手段】シート１上に、縦横に行列の欄を形成し、列の一端の各欄に連続する複数の月名を記憶し、最上の行に複数の点検内容を記載し、前記月名記載欄と前記点検内容の記載する欄の行列上、交叉する各欄に点検結果を記入し得るように構成した点検記入欄２と、買い上に対応したポイントをスタンプするガソリン・軽油欄４、洗車・オイル欄５とを表面に備え、裏面に洗車履歴記入欄６を備える。【選択図】図２
0003130847.tif 000002
【実用新案登録請求の範囲】
【請求項１】
縦横に行列の欄を形成し、行もしくは列の一端の各欄に連続する複数の月名を記載し、他方の列もしくは行に複数の点検内容を記載し、前記月名記載欄と、前記点検内容の記載する欄の行列上、交叉する各欄に点検結果を記入し得るように構成した点検記入欄を備えたことを特徴とする車点検用シート。
【請求項２】
前記点検記入欄とともに洗車履歴記入欄を備えたことを特徴とする請求項１記載の車点検用シート
【請求項３】
前記点検記入欄とともに、お買い上に対応したポイントを付与するポイント付与欄を備えたことを特徴とする請求項１又は請求項２記載の車点検用シート。
【考案の詳細な説明】
【技術分野】
【０００１】
この考案は、ガソリンスタンド、車整備工場、カーディーラ等において、車の点検を行う際に使用する車点検用シートに関する。
【背景技術】
【０００２】
一般にガソリンスタンドなどにおいて、来客があると、ガソリンを販売する他に、その車に対し、種々の点検を行うことがある。点検内容はエンジンオイル、ウィンドウォッシャー、ブレーキフルード、ラジエータ冷却水、バッテリー、ＡＦＦ（オートマティック、トランスミッションフルード）、ストップランプ、タイヤ等である。
【０００３】
このような内容の点検を行った場合、その点検結果を点検報告書として車点検用シートに記載し、客に手渡すとともに写しをガソリンスタンドに保存している。従来の車点検用シートとして例えば図５に示すものが使用される。この車点検用シートは、点検欄として点検項目、点検報告、ＭＥＭＯ欄が、それぞれ設けられ、点検項目として、１エンジンオイル、２ウィンドウォッシャー、３ブレーキフルード、４ラジエータ冷却水・・・等が示され、点検・報告欄には、それぞれの点検項目に対して、ＯＫ・要注意の別が選択記入でき、補充、交換のそれぞれ等を選択し、○印などのチェックをできるようになっている。
【０００４】
この車点検用シートは、点検項目及び点検・報告欄のほかに客別に、お客様名、走行距離、車種、車番、車検年月を記載する欄と、さらに、下方に、点検日と担当者、会社名、ＳＳ名が記載できる欄を設けている。
【考案の開示】
【考案が解決しようとする課題】
【０００５】
上記した従来の車検、点検用シートは、１回毎の点検の結果を記録し、報告するものであった。そのため、客が給油等に来場した場合に、ガソリンスタンドの係員は、それまでに前回いつ点検を行ったのか、どのような点検を行ったのか、点検履歴を知ることができず、お客から点検の申出があるか、適宜と思われる時点にアトランダムに点検のお誘い、確認をすることしかできず、適正な点検タイミングを把握できず、結果的に客への当を得たサービスができず、又そのため点検等の関する十分な売上成果が得られないという問題があった。
【０００６】
この考案は、上記問題点に着目してなされたものであって、客の点検履歴を確認でき、未点検月、未点検項目等を早朝に知り得て、点検実施を促進し、結果としてサービスの向上と売り上げ成果の向上を期待し得る車点検用シートを提供することを目的とする。
【課題を解決するための手段】
【０００７】
この考案の車点検用シートは、縦横に行列の欄を形成し、行もしくは列の一端の各欄に連続する複数の月名を記載し、他方の列もしくは行に複数の点検内容を記載し、前記月名記載欄と、前記点検内容の記載する欄の行列上、交叉する各欄に点検結果を記入し得るように構成した点検記入欄を備えたことを特徴とする。
【０００８】
この考案の車点検用シートは、前記点検記入欄に加えて、洗車履歴記入欄を備えるとよい。また、この考案の車点検用シートは、前記点検記入欄、あるいは前記点検用記入欄及び前記洗車履歴記入欄に加えて、お買い上げに対応したポイントを付与するポイント付与欄を備えるとなお良い。
【考案の効果】
【０００９】
この考案によれば、客の点検履歴を確認でき、未点検月、未点検項目等を早朝に知ることができ、そのため点検実施を促進し、サービスの向上と売り上げ成果の向上を期待できるという効果を有する。
【考案を実施するための最良の形態】
【００１０】
以下、実施の形態により、この考案をさらに詳細に説明する。図１は、この考案の一実施形態である車点検用シートを示す平面図である。
【００１１】
図１において、長方形のシート紙１に、車点検用欄２と、点検する車に関する事項を記載するお客様欄３を備えている。車点検用欄２は、行列状の欄が構成され、点検日を記入する欄が左側端に縦１列に１月から１２月まで、月毎の点検記入欄が設けられている。
【００１２】
また、車点検欄２の横方向の上段第１行目に点検日、距離の項目の他、点検項目として、エンジンオイル、ラジエーター液、ウィンドウォッシャー液、ブレーキオイル、バッテリー液、オートマチックオイル、タイヤ・空気圧、及び私が点検した担当者が記載されている。  
【００１３】
また、点検月と各点検項目月の行列の交叉欄には、その各月における各点検項目の点検内容を記載する欄が形成されている。各点検項目とも、点検結果としてＯＫと要注意が選択記入できるようになっている。また、エンジンオイルについては、交換、フィルターが記載され、ラジエーター液については、交換、補充が記載され、ウィンドウォッシャー液については、交換、補充が記載され、ウィンドウォッシャー液については補充が記載され、ブレーキオイルについては交換、補充が記載され、バッテリー液については交換、充電が記載され、オートマチックオイルについては交換が記載され、タイヤ空気圧については交換、ローテーションが記載されており、点検の結果、それぞれ措置を必要とする場合チェック記入できるようになっている。
【００１４】
お客様欄３には、お名前欄、車名欄、車検日欄、車番欄、発行月欄が設けられ、それぞれ記入し得るようになっている。この欄自体は従来のものと特に変わるところはない。
【００１５】
この実施形態の車検用シートを用いれば、これまでは実施できなかった次の点について期待できる。
ａ．１回毎の点検内容だけ月毎の点検内容を確認できるので、毎月の点検実施の推進が可能となり、当月の点検の有無が確認でき、点検実施のセールスを推進できる。
ｂ．先月や先々月の点検結果を踏まえて、交換の必要性を説明でき、効果的な販売が可能となり、さらに前回の点検履歴に基づいて、要注意項目について重点的な点検が可能である。
ｃ．未点検月の記録に基づいて、点検未実施客に対しての点検の推進が可能となる。未点検月が把握でき、先月点検未実施に対しての未実施に基づく点検推進のセールスが可能になり、未実施の減少に結びつき、安全性の向上に役立つ。数カ月に渡る未点検がわかる事により、点検前の段階で劣化状態がわかり、点検を実施する動機に結びつける事が可能になる。
ｄ．前回の交換履歴に基づき、交換時期が把握でき、適正な交換時期の販売が可能になり、過度な点検の防止に結びつく。
ｅ．さらにまた、パソコンや他の記録用紙を用いなくても、全てこの点検用シートに集約できる。
ｆ．点検記録が集約されているため、未経験者でも経過記録に基づいて販売が可能になる。
【００１６】
次に図２、図３を参照して第２の実施形態である車検用シートについて説明する。図２はこの実施形態点検用シートの表面を示す図、図３は同車点検用シートの裏面を示す図である。この実施形態点検用シートは点検用シート１の表面に車点検欄２を設けるとともに裏面にお客様欄３を設け、さらに車検欄２の上方にメンテナンス用スタンプ欄として、ガソリン・軽油欄４と洗車・オイルその他欄５を設けている。さらに、裏面の空欄に、発行SS記載欄７、メンテナンススタンプの宣伝欄８に使用する欄を備えている。
【００１７】
車点検欄２及びお客様欄３は、図１の実施形態と同様のものである。この実施形態車点検用シートの特徴はガソリン・軽油欄４と洗車・オイルその他欄５を設けたことにある。ガソリン・軽油欄４は、ガソリンもしくは軽油の給油を受ける毎にスタンプを１個押印を受ける。洗車・オイルその他の欄５には、買い上げ１０００円毎に１回スタンプの押印を受ける。これらのガソリン・軽油欄４，洗車・オイルその他欄５は、いわゆるポイント記入欄である。客は、このスタンプの押印数、つまりポイントが所定値に達すると、所定のサービスを受けることが出来る。
【００１８】
このスタンプの個数（ポイント）により、サービスを受け得るので、より点検回数を増やすことができる。また、この実施形態では一点鎖線Ａ，Ｂで谷折り（破線Ｃ、Ｄで山折り）することにより、小型の携帯しやすいカードとなり持ち運びに便利である。
【００１９】
さらに第３の実施形態として図３に示す裏面に代えて図４に示す裏面としても良い。この図４に示すシート裏面には洗車履歴欄６が設けられ、この洗車履歴欄６の各回欄には、月日と洗車のグレード１〜４を選択して記入することになっている。
【００２０】
この実施形態車点検用シートは、車点検欄２と、お客様欄３と、ガソリン・軽油欄４と、洗車・オイル等欄５を備えるほか、洗車履歴欄６を特徴的に備えている。
【００２１】
この実施形態車点検用シートを使用することにより、洗車履歴を明確にすることができ、洗車に関する次のセールスチャンスを把握することができる。
【００２２】
なお、上記各実施形態において、車点検欄２の縦方向に各月名を、横方向に点検内容を記載しているが、縦方向に点検内容を、横方向に各月名を配置しても良い。
【図面の簡単な説明】
【００２３】
【図１】この考案の一実施形態である車点検用シートを示す平面図である。
【図２】この考案の他の実施形態車点検用シートを示す表面図である。
【図３】同実施形態車点検用シートの裏面図である。
【図４】さらに他の実施形態車点検用シートを示す裏面図である。
【図５】従来の車点検用シートの一例を示す平面図である。
【符号の説明】
【００２４】
１  点検用シート
２  車点検用欄
３  お客様欄
４  ガソリン・軽油欄
５  洗車・オイルその他欄
６  洗車履歴欄
【図１】
0003130847.tif 000003
【図２】
0003130847.tif 000004
【図３】
0003130847.tif 000005
【図４】
0003130847.tif 000006
【図５】
0003130847.tif 000007